(57)【要約】【課題】吊子支持部材の小型化を実現する。【解決手段】本発明の二重折板用吊子支持金具１１は、下葺折板２と上葺折板３とを固定するための吊子１２を支持するものである。下葺折板２の継ぎ目部２１に当接する第１面６１と、この第１面６１とによって継ぎ目部２１を挟みこむ位置に配置された第２面６２と、第２面６２に設けられ、継ぎ目部２１を第１面６１に押圧する方向に移動させ、継ぎ目部２１を挟みこみ下葺折板２に固定するボルト３２とを備える。【選択図】図１
2008013985.tif 000002
【特許請求の範囲】
【請求項１】
下部板と該下部板上に配置される上部板とによって構成される屋根部材において、下部板面上に設けられ、該下部板と上部板とを固定するための吊子を支持する吊子支持部材であって、
上記下部板は、複数の板が鉤継ぎによりつなぎ合わされ、その継ぎ目部が上部板に向かって立つように形成されており、
上記下部板の継ぎ目部に当接する第１面と、
上記第１面とによって上記継ぎ目部を挟みこむ位置に配置された第２面と、
上記第２面に設けられ、上記継ぎ目部を上記第１面に押圧する方向に移動するボルトと、を備え、
上記ボルトと上記第１面とによって継ぎ目部を挟みこみ下部板に固定することを特徴とする吊子支持部材。
【請求項２】
上記ボルトにより押圧した継ぎ目部と、上記第１面側から該第１面に押さえつける固定部をさらに備えることを特徴とする請求項１に記載の吊子支持部材。
【請求項３】
上記継ぎ目部は、上記板を重ね合わせた部分である重ね合わせ部と、重ね合わせた板を複数回巻き返して形成した巻き返し部とを有し、該継ぎ目部における上部板側の端部に巻き返し部が形成されており、
上記ボルトは上記継ぎ目部における重ね合わせ部を押圧することを特徴とする請求項１または２に記載の吊子支持部材。
【請求項４】
上記第１面と上記第２面との間隔が、継ぎ方が異なる鉤継ぎにより形成された巻き返し部を挿入できる大きさに設定されていることを特徴とする請求項３に記載の吊子支持部材。
【請求項５】
上記第１面における、上部板側の端部から、第２面の上部板側の端部に向かって形成され、上記第１面および第２面に対して垂直となる上面をさらに備え、
上記下部板から上記上面までの高さは、上記継ぎ目部の下部板からの突出量となるように設定されていることを特徴とする請求項４に記載の吊子支持部材。
【請求項６】
上記第１面における下部板側と接する側の端部から、下部板に沿って延設した接面部を有することを特徴とする請求項１〜５のいずれか１項に記載の吊子支持部材。
【発明の詳細な説明】
【技術分野】
【０００１】
本発明は、下部板面上に設けられ、該下部板と上部板とを固定するための吊子を支持する吊子支持部材に関するものである。
【背景技術】
【０００２】
従来、化学工場、食品工場、保冷工場、倉庫、紡績工場、製紙工場、および体育館等の屋根では、図６に示すように、上下の折板（上葺折板１０１、下葺折板１０２）間に断熱材１０３を挿入し、サンドウィチ状に挟みこむ、二重構造が採用されている。なお、図６は、従来技術を示すものであり、二重構造を有する折板屋根の断面形状の一例を示す図である。
【０００３】
この二重構造では、下葺折板１０２に装着した吊子１２１を介して上葺折板１０１を固定しており、下葺折板１０２と上葺折板１０１との間に形成される空間にグラスウール等の断熱材１０３が挿入される。このように、上記二重構造では、上葺折板１０１と下葺折板１０２との間に断熱材１０３を挿入するための空間を確保するため、吊子１２１を支持する吊子支持部１０４は、下葺折板１０２から略１０ｃｍの高さを有している。
【０００４】
なお、上記吊子１２１とは、上葺折板１０１を下葺折板１０２に固定するために使用する薄板であり、上葺折板１０１の継ぎ目部１２２における巻き返し部分に自身の一端を巻き込み、他端を吊子支持部１０４にボルトなどで固定する。また、この吊子支持部１０４とは、上記吊子１２１を下葺折板１０２に固定するための支持部材であり、下葺折板１０２の継ぎ目部１２２に装着される。
【０００５】
ここで、上記吊子支持部１０４の構成について、図７を参照して説明する。なお、図７は、従来技術を示すものであり、吊子支持部１０４の概略構成を示す図である。
【０００６】
図７に示すように、吊子支持部１０４は、吊子固定部１１２、挟持部１１３、および調節部１１４を備えてなる構成である。
【０００７】
上記吊子固定部１１２は、吊子１２１を当該吊子支持部１０４本体に固定するためのものであり例えば、ボルト等によって実現できる。
【０００８】
上記挟持部１１３は、吊子支持部１０４本体を下葺折板１０２の継ぎ目部１２２に固定するためのものであり、該下葺折板１０２の継ぎ目部１２２を２枚の金属板で挟みこむ構成となっている。
【０００９】
より具体的には、上記挟持部１１３は、図７に示すように、Ｘ−Ｘ´方向からみると、Ｚ−Ｚ´方向に下葺折板１０２の継ぎ目部１２２を挿入できるように２枚の金属板によって隙間が形成された、略コの字形状をしている。そして、上記２枚の金属板同士は互いに近接するように移動し、下葺折板１０２の継ぎ目部１２２を挟み込むことができるようになっている。
【００１０】
すなわち、調節部１１４は、ボルト本体とナットと座金から構成されており、このボルト本体を締め付けることによって挟持部１１３に形成された隙間幅が小さくなり、該隙間に挿入した下葺折板１０２の継ぎ目部１２２を挟みこむことができる。
【００１１】
逆に、ボルト本体を緩めることにより継ぎ目部１２２を挟みこむ金属板間の間隔を広げることができる。このため、継ぎ目部１２２を挿入する際は、ボルトを緩め金属板間の間隔を広げる作業が必要となる。
【００１２】
また、この挟持部１１３では、下葺折板１０２の継ぎ目部１２２に形成される、重ねた板を巻き返した巻き返し部分を収める隙間部１１５が、当該挟持部１１３の上端部に設けられている。
【発明の開示】
【発明が解決しようとする課題】
【００１３】
しかしながら、上記従来の吊子支持部１０４の構成では、該吊子支持部１０４の小型化が困難となるといった問題が生じる。すなわち、上記したように従来の吊子支持部１０４は、２つの金属板から構成される挟持部１１３によって下葺折板１０２の継ぎ目部１２２を挟み込む構成であり、かつ該金属板同士により挟み込む力の大きさを、挟持部１１３の上層に設けられた調節部１１４におけるボルトの締め付けによって調節する構成である。
【００１４】
このため、下葺折板１０２の継ぎ目部１２２を挟みこむ力を調節する調節部１１４を設置する領域を確保する必要があり、従来の吊子支持部１０４では十分に小型化することが困難であった。
【００１５】
したがって、例えば断熱材１０３の挿入が不要で、吊子支持部１０４の下葺折板１０２からの高さが１０ｃｍも必要とされない場合であっても、従来の吊子支持部１０４の構成では十分に小型化することができない。
【００１６】
本発明は、上記の問題点に鑑みてなされたものであり、その目的は、小型化を図ることができる吊子支持部を提供することにある。
【課題を解決するための手段】
【００１７】
本発明に係る吊子支持部材は、上記した課題を解決するために、下部板と該下部板上に配置される上部板とによって構成される屋根部材において、下部板面上に設けられ、該下部板と上部板とを固定するための吊子を支持する吊子支持部材であって、上記下部板は、複数の板が鉤継ぎによりつなぎ合わされ、その継ぎ目部が上部板に向かって立つように形成されており、上記下部板の継ぎ目部に当接する第１面と、上記第１面とによって上記継ぎ目部を挟みこむ位置に配置された第２面と、上記第２面に設けられ、上記継ぎ目部を上記第１面に押圧する方向に移動するボルトと、を備え、上記ボルトと上記第１面とによって継ぎ目部を挟みこみ下部板に固定することを特徴とする。
【００１８】
上記構成によると、本発明に係る吊子支持部材は、上記第１面とによって上記継ぎ目を挟みこむ位置に配置された第２面に、設置されたボルトを移動させ、直接継ぎ目部を第１面に押圧する構成である。
【００１９】
このため、従来のように、継ぎ目部を挟み込む力を調節するための調節部を配置する領域を、吊子支持部材本体における、該継ぎ目部を挟み込む位置よりもさらに上方に設ける必要がない。
【００２０】
このため、本発明に係る吊子支持部材は、下部板からの高さを小さくすることができ、吊子支持部材の小型化を図ることができるという効果を奏する。
【００２１】
また、本発明に係る吊子支持部材は、上記した構成において、上記ボルトにより押圧した継ぎ目部と、上記第１面側から該第１面に押さえつける固定部をさらに備えるように構成されていることが好ましい。
【００２２】
上記構成によると、固定部をさらに備えるため、上記継ぎ目部を第１面側からも固定することができ、この継ぎ目部に対する装着力を高めることができる。
【００２３】
したがって、本発明に係る吊子支持部は、下部板に対する装着力を向上させることができる。
【００２４】
また、本発明に係る吊子支持部材は、上記した構成において、上記継ぎ目部は、上記板を重ね合わせた部分である重ね合わせ部と、重ね合わせた板を複数回巻き返して形成した巻き返し部とを有し、該継ぎ目部における上部板側の端部に巻き返し部が形成されており、上記ボルトは上記継ぎ目部における重ね合わせ部を押圧するように構成されていることが好ましい。
【００２５】
上記構成によると、上記ボルトは、上記重ね合わせ部を押圧するため、本発明の吊子支持部材が下部板から外れそうになる場合であっても、このボルトが重ね合わせ部の上部板側に形成された巻き返し部にひっかかり、吊子支持部材本体が下部板から離脱することを防止することができる。
【００２６】
また、本発明に係る吊子支持部材は、上記した構成において、上記第１面と上記第２面との間隔が、継ぎ方が異なる鉤継ぎにより形成された巻き返し部を挿入できる大きさに設定されていてもよい。
【００２７】
ここで、継ぎ方が異なる鉤継ぎにより形成された巻き返し部は、例えば、巻き返し部分を角形状とした角はぜ、巻き返し部分を丸形状とした丸はぜ等が挙げられる。
【００２８】
上記構成によると、上記第１面と第２面との間隔が、継ぎ方が異なる鉤継ぎで形成された巻き返し部であっても挿入できる大きさに設定されているため、巻き返し部の形状に関わらず、継ぎ目部を容易に第１面と第２面との間に挿入することができる。
【００２９】
したがって、本発明に係る吊子支持部材は、巻き返し部の形状に関わらず下板部に装着することができる。
【００３０】
また、本発明に係る吊子支持部材は、上記した構成において、上記第１面における、上部板側の端部から、第２面の上部板側の端部に向かって形成され、上記第１面および第２面に対して垂直となる上面をさらに備え、上記下部板から上記上面までの高さは、上記継ぎ目部の下部板からの突出量となるように設定されていてもよい。
【００３１】
上記構成によると、下部板から上面までの高さを、継ぎ目部の下部板からの突出量とするため、本発明に係る吊子支持部材は、上記継ぎ目部を収容するための必要最低限の高さとすることができる。
【００３２】
このように必要最低限の高さに設定できるため、本発明に係る吊子支持部材は、小型化を図ることができる。
【００３３】
また、本発明に係る吊子支持部材は、上記した構成において、上記第１面における下部板側と接する側の端部から、下部板に沿って延設した接面部を有するように構成されていることが好ましい。
【００３４】
上記構成によると接面部を有しているため、上部板からかかる外圧を、この接面部を介して下部板領域にも加重させ分散させることができる。このため、上部板から大きな外圧がかけられた場合であっても、吊子支持部材本体が下部板から容易に離脱することを防ぐことができる。
【発明の効果】
【００３５】
本発明に係る吊子支持部材は、以上のように、下部板面と該下部板面上に配置される上部板面とによって構成される屋根部材において、下部板面上に設けられ、該下部板と上部板とを固定するための吊子を支持する吊子支持部材であって、上記下部板は、複数の板が鉤継ぎによりつなぎ合わされ、その継ぎ目部が上部板に向かって立つように形成されており、上記下部板の継ぎ目部に当接する第１面と、上記第１面とによって上記継ぎ目部を挟みこむ位置に配置された第２面と、上記第２面に設けられ、上記継ぎ目部を上記第１面に押圧する方向に移動するボルトと、を備え、上記ボルトと上記第１面とによって継ぎ目部を挟みこみ下部板に固定することを特徴とする。
【００３６】
このため、本発明に係る吊子支持部材は、下部板からの高さを小さくすることができ吊子支持部材の小型化を図ることができるという効果を奏する。
【発明を実施するための最良の形態】
【００３７】
本発明の一実施形態について図１ないし図５に基づいて説明すると以下の通りである。すなわち、本実施の形態に係る屋根１は、図２に示すように下葺折板２と上葺折板３とから構成されるものであり、該屋根１の断面構造は図３に示すようになる。
【００３８】
なお、図２は、本実施の形態に係る屋根１の外観の一例を示す図である。また、図３は、本実施の形態に係る屋根１の断面構造の一例を示す図であり、該図３では、図２に示す屋根のＡ−Ａ´断面における断面構造を示す。
【００３９】
本実施の形態に係る二重折板用吊子支持金具１１は、図３に示すように、下葺折板２と上葺折板３との２重構造によって構成される屋根１において、下葺折板２に上葺折板３を固定するための吊子１２を支持するものである。
【００４０】
上記屋根１において、下葺折板２および上葺折板３それぞれは、複数の板の端部を鉤継ぎによりつなぎ合わせて形成している。そして、この鉤継ぎによりつなぎ合わせた、下葺折板の継ぎ目部２１に、上記二重折板用吊子支持金具１１が配置される。
【００４１】
なお、上記継ぎ目部２１は、図１に示すように２枚の板を重ね合わせた、重ね合わせ部２３と、重ね合わせた板を複数回巻き返した巻き返し部２２とから構成されている。そして、上記重ね合わせ部２３は、継ぎ目部２１における下葺折板２側に形成され、上記巻き返し部２２は、上葺折板３側に形成されている。この図１は、本発明の実施の形態を示すものであり、二重折板用吊子支持金具１１の断面図である。
【００４２】
また、図２に示す屋根１では、断熱材の挿入が不要となっており、下葺折板２と上葺折板３とを重畳させた構成となっている。ただし、下葺折板２に生じた錆により上葺折板３が侵食されないように、下葺折板２と上葺折板３との間には防錆シート（不図示）が挿入される。
【００４３】
ここで、本実施の形態に係る二重折板用吊子支持金具１１の構成について図１、図３、および図４を参照して説明する。
【００４４】
（二重折板用吊子支持金具の形状）
図３に示すように上記二重折板用吊子支持金具１１の断面形状は、図２に示すＡ−Ａ´断面において、上葺折板３に向かって立ち上がっている、下葺折板２の継ぎ目部２１を覆うように下葺折板２側が開いたコの字形状と、該下葺折板２面上に沿ったＬ字形状とを組み合わせた形状となっている。
【００４５】
なお、後述するが、上記コの字形状部分が、本実施の形態に係る二重折板用吊子支持金具１１が有する収容部３１に、Ｌ字形状が接面部３４に対応する。
【００４６】
（二重折板用吊子支持金具の構成）
上記二重折板用吊子支持金具は、図１および図４に示すように、収容部３１、ボルト３２、固定部３３、接面部３４、および吊子固定部３５を備えてなる構成である。
【００４７】
上記収容部３１は、下葺折板の継ぎ目部２１を収容するものであり、形状が異なる巻き返し部分（角はぜ、または丸はぜ）に対応できるように形成されている。
【００４８】
より具体的には、上記収容部３１は、下葺折板２が配される側（以降、下側と称する）が開口した、屋根１のＡ−Ａ´断面においてコの字形状をしている。すなわち、この収容部３１は、継ぎ目部２１と当接する第１面６１と、該第１面６１とによって継ぎ目部２１を挟む位置に配置された第２面６２と、第１面６１およぎ第２面６２それぞれの上側の端部を結んで形成される上面６３とによって構成されている。
【００４９】
なお、上記第１面６１は図１に示す断面形状において、収容部３１を形成する右側の側面であり、第２面６２は図１に示す断面形状において、収容部３１を形成する左側の側面となる。
【００５０】
また、上記第１面６１と第２面６２との間の開口幅（ｙ−ｙ´方向の大きさ）は、下側から下葺折板のはぜ（角はぜ、および丸はぜ）部分が挿入できる程度、すなわち略３０ｍｍに設定されている。
【００５１】
このように、下葺折板２の巻き返し部２２の形状に関わらず、継ぎ目部２１を挿入できる程度の幅を有した開口が設けられているため、下葺折板２の継ぎ目部２１を、そのまま、収容部３１に収めることができる。
【００５２】
このため、本実施の形態に係る二重折板用吊子支持金具１１は、従来のように調節部１１４を操作して、継ぎ目部を挿入できるように挟持部１１３における隙間を拡大させる作業を必要とせず、取り付け作業を簡略化することができる。
【００５３】
また、この収容部３１の高さ方向（ｚ−ｚ´方向）の大きさ（下部葺折板２から上面６３までの大きさ）は、下葺折板２における継ぎ目部２１の立ち上がりの大きさ（突出量）、すなわち略２５ｍｍ〜２８ｍｍに設定されている。
【００５４】
このように、収容部３１の高さは、下葺折板２の継ぎ目部２１を収容できる最小限の高さとなるように設定されているため、二重折板用吊子支持金具１１は、小型化を図ることができる。
【００５５】
以上のように、上記収容部３１のＡ−Ａ´断面形状は、略３０ｍｍの開口を設けるとともに、下葺折板２から収容部３１の上面６３までの高さが略２５ｍｍ〜２８ｍｍとなるコの字形状となる。
【００５６】
また、上記収容部３１における上記第２面６２には、収容部３１内に収めた下葺折板２の継ぎ目部２１を固定するための力を調節するための２つのボルト３２が備えられている。
【００５７】
上記したように本実施の形態に係る二重折板用吊子支持金具１１では、巻き返し部２２の形状が略矩形に巻き返された、いわゆる角はぜの場合を例に挙げ説明した。しかしながら、図５に示すように、巻き返し部２２の形状が略円形に巻き返された、丸はぜの場合であっても、継ぎ目部２１を収容部３１に挿入できるように、該収容部３１の開口幅が大きく設けられている。なお、図５は、巻き返し部が丸はぜの場合における、下葺折板２と上葺折板３との間における二重折板用吊子支持金具１１の装着状態の一例を示す図である。
【００５８】
このため、この収容部３１に下葺折板２の継ぎ目部２１を挿入しただけでは、二重折板用吊子支持金具１１をこの継ぎ目部２１においてしっかりと固定することができない。
【００５９】
そこで、本実施の形態に係る二重折板用吊子支持金具１１は、上記ボルト３２によって収容部３１に収容した継ぎ目部２１を第１面６１に向かって押さえつけ固定できるように構成されている。
【００６０】
具体的には、図３に示すように２組のボルトが、コの字形状した収容部３１の一方の側面（第２面）に設けられている。そして、収容部３１に挿入した継ぎ目部２１における巻き返し部２２の下部の重ね合わせ部２３を、この２組のボルト３２それぞれを締め付け、第１面６１に向かって移動させ、該ボルト３２によって押さえつけることができるようになっている。
【００６１】
このように、本実施の形態に係る二重折板用吊子支持金具１１では、２本のボルト３２で、継ぎ目部２１を、第１面６１に向かって押さえつけることにより下葺折板２と固定できるようになっている。
【００６２】
また、上記したようにボルト３２で下葺折板２の継ぎ目部２１を押さえつける構成であるため、例え、二重折板用吊子支持金具１１本体が下葺折板２から外れようとしたとしても、ボルト３２が継ぎ目部２１の巻き返し部２２に引っかかり外れることを防止することもできる。
【００６３】
固定部３３は、本実施の形態に係る二重折板用吊子支持金具１１本体を下葺折板２の継ぎ目部２１に固定するものである。より具体的には、収容部３１における第１面６１には、固定部３３として２本のビスが設けられており、該ビスが、この収容部３１の第１面６１とともに継ぎ目部２１を貫通し固定している。すなわち、第１面６１と継ぎ目部２１とに螺子孔（不図示）が設けられており、該螺子孔にビスを挿入し締め付け、第１面６１側から該第１面６１に継ぎ目部２１を押し付け固定している。
【００６４】
上記接面部３４は、二重折板用吊子支持金具１１を固定する下葺折板２との接合面であり、下葺折板２における、継ぎ目部２１の形成面に沿うような形状となっている。このため、Ｙ−Ｙ´方向から力がかかった場合であっても、該力をこの接面部３４を介して下葺折板２の面領域に加重させ分散させることができる。このため、上葺折板３から大きな外圧がかけられた場合であっても、二重折板用吊子支持金具１１本体が下葺折板２から容易に離脱することを防ぐことができる。
【００６５】
なお、この接面部３４は、図３に示すように、第１面６１の下部端部から継ぎ目部とは逆の方向に延設されている。これは、図３では、左側から上葺折板３を葺いており、このため、下葺折板２と上葺折板３との間の空間が狭くなっている。このため、この接面部３４は第１面６１の下部端部から上記継ぎ目部２１とは逆の方向に、下葺折板２に沿って延設される。
【００６６】
また、この接面部３４上には吊子固定部３５が配置されており、この吊子固定部３５は、上記吊子１２を二重折板用吊子支持金具１１本体に固定するためのものである。例えばこの吊子固定部３５は、吊子１２自身と接面部３４とを締め付け固定するボルトによって実現できる。
【００６７】
なお、吊子１２において、接面部３４と重畳させて固定させる部分は、金属板を２重に重ね合わせて形成しており、ボルトを締め付ける面の強度を上げている。
【００６８】
以上のように、本実施の形態に係る二重折板用吊子支持金具１１は、上記収容部３１の第１面６１とによって上記継ぎ目２１を挟みこむ位置に配置された第２面６２に、ボルト３２が設置されており、該ボルト３２を移動させ、直接継ぎ目部２１を第１面６１に押圧する構成である。このため、従来のように、継ぎ目部２１を挟み込む力を調節するための調節部１１４を配置する領域を、二重折板用吊子支持金具１１本体の上方に設ける必要がない。
【００６９】
このため、本実施の形態に係る二重折板用吊子支持金具１１は、下葺折板２からの高さを小さくすることができ小型化を図ることができる。
【００７０】
また、本実施の形態に係る二重折板用吊子支持金具１１は、固定部３３をさらに備えるため、上記継ぎ目部２１をより強固に固定することができる。したがって、二重折板用吊子支持金具１１は、下葺折板２に対する装着力を向上させることができる。
【００７１】
また、本実施の形態に係る二重折板用吊子支持金具１１は、に上記ボルト３２が上記継ぎ目部２１における重ね合わせ部２３を押圧するように構成されている。このため、二重折板用吊子支持金具１１が下葺折板２から外れそうになる場合であっても、このボルト３２が重ね合わせ部２３の上部に形成された巻き返し部２２にひっかかり、下葺折板２から離脱することを防止することができる。
【００７２】
また、二重折板用吊子支持金具１１は、上記収容部３１の第１面６１と上記第２面６２との間隔が、継ぎ方が異なる鉤継ぎにより形成された巻き返し部２２を挿入できる大きさに設定されている。このため、巻き返し部２２の形状に関わらず、継ぎ目部２１を容易に第１面６１と第２面６２との間に挿入することができる。
【００７３】
また、本実施の形態に係る二重折板用吊子支持金具１１は、上記下葺折板２から上記上面６３までの高さが、上記継ぎ目部２１の下葺折板２からの突出量となるように設定されている。このため、二重折板用吊子支持金具１１は、上記継ぎ目部２１を収容するための必要最低限の高さとすることができる。
【００７４】
また、本実施の形態に係る二重折板用吊子支持金具１１は、上記第１面６１における下葺折板２と接する側の端部から、該下葺折板２に沿って延設した接面部３４を有している。
【００７５】
このため、上葺折板３からかかる外圧を、接面部３４を介して下葺折板２に加重させ分散させることができる。このため、上葺折板３から大きな外圧がかけられた場合であっても、二重折板用吊子支持金具１１本体が下葺折板２から容易に離脱することを防ぐことができる。
【００７６】
なお、上記したように、図３または図５では、左側から上葺折板３を葺いた場合における、上葺折板３と下葺折板２との間での二重折板用吊子支持金具１１の装着状態を示していた。ここで、右側から上葺折板３を葺いた場合では、上記二重折板用吊子支持金具１１の配置は左右対称となる。つまり、本実施の形態に係る二重折板用吊子支持金具１１は、左右を反転させることにより、右側から上葺折板３を葺いた場合でも適用できる。
【００７７】
また、上記収容部３１の断面形状がコの字形状であったがこれに限定されるものではなく、下葺折板２と上葺折板３との間に収まる形状であり、かつボルト３２からの押圧力によって継ぎ目部２１が第１面６１に固定可能な形状であればよい。
【００７８】
また、上記接面部３４が収容部３１の一方の側部における下端部に設けられる構成であったが、この接面部３４が設けられる位置はこれに限定されるものではない。例えば、上葺折板３および下葺折板２との間において、上記収容部３１の第１面６１および第２面６２両方の側に接面部３４を設けるだけのスペースが十分確保できる場合、収容部３１の第１面６１および第２面６２両者の側に該接面部３４を設けてもよい。
【００７９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８０】
本実施の形態に係る二重折板用吊子支持金具１１は、ボルト３２によって下葺折板２の継ぎ目部２１に固定することができる構成であり、形状を小型化することができる。そして、この二重折板用吊子支持金具１１は、二重構造の屋根だけではなく、古い屋根の上に重畳して新しい屋根を葺く場合であっても利用できる。
【図面の簡単な説明】
【００８１】
【図１】本発明の実施の形態を示すものであり、二重折板用吊子支持金具の断面図である。
【図２】本実施の形態に係る屋根の外観の一例を示す図である。
【図３】本実施の形態に係る屋根の断面構造の一例を示す図であり、図２に示す屋根のＡ−Ａ´断面における断面構造を示す。
【図４】本実施の形態に係る二重折板用吊子支持金具の外観を示す図である。
【図５】巻き返し部が丸はぜの場合における、下葺折板と上葺折板との間における、本実施の形態に係る二重折板用吊子支持金具の装着状態の一例を示す図である。
【図６】従来技術を示すものであり、二重構造を有する折板屋根の断面形状の一例を示す図である。
【図７】従来技術を示すものであり、吊子支持部の概略構成を示す図である。
【符号の説明】
【００８２】
１    屋根
２    下葺折板（上部板）
３    上葺折板（下部板）
１１  二重折板用吊子支持金具（吊子支持部材）
１２  吊子
２１  継ぎ目部
２２  巻き返し部
２３  重ね合わせ部
３１  収容部
３２  ボルト
３３  固定部
３４  接面部
６１  第１面
６２  第２面
６３  上面
【図１】
2008013985.tif 000003
【図２】
2008013985.tif 000004
【図３】
2008013985.tif 000005
【図４】
2008013985.tif 000006
【図５】
2008013985.tif 000007
【図６】
2008013985.tif 000008
【図７】
2008013985.tif 000009